(57)【要約】【課題】手書き入力された内容の電子データ化を行う際に使用するオリジナルな用紙のレイアウト設計や印刷を小ロットで行うことができるシステムを供給する。【課題を解決するための手段】罫線や記号等を用紙に印刷するためのレイアウト情報を、前記用紙の表面上に手書きにより記入される情報を電子位置情報に変換してなる筆記データと独立して取り扱い可能となるように、そのレイアウト情報のレイアウト設計を行うものであって、前記筆記データと独立して取り扱い可能に且つ前記用紙に設定すべく作成されたレイアウト情報の入力を受け付けるレイアウト情報受付手段と、前記レイアウト情報受付手段で受け付けたレイアウト情報毎に識別子を付与する識別子付与手段とを具備するようにした。【選択図】図８
2004005519.tif 000002
【特許請求の範囲】
【請求項１】
罫線や記号等を用紙に印刷するためのレイアウト情報を、前記用紙の表面上に手書きにより記入される情報を電子位置情報に変換してなる筆記データと独立して取り扱い可能となるように、そのレイアウト情報のレイアウト設計を行うものであって、前記筆記データと独立して取り扱い可能に且つ前記用紙に設定すべく作成されたレイアウト情報の入力を受け付けるレイアウト情報受付手段と、前記レイアウト情報受付手段で受け付けたレイアウト情報毎に識別子を付与する識別子付与手段とを具備することを特徴とする用紙レイアウト設計装置。
【請求項２】
前記用紙が、表面上における絶対位置を示す位置認識パターンが前記表面に印刷されたものであることを特徴とする請求項１記載の用紙レイアウト設計装置。
【請求項３】
前記レイアウト情報に基づいて、対応するレイアウトを前記用紙の表面上における所定の領域に印刷する印刷手段を具備することを特徴とする請求項１又は２記載の用紙レイアウト設計装置。
【請求項４】
印刷すべきレイアウトに対応する識別子を手書きにより記入するための、又は、前記識別子に係る所定の文字に対する手書きによるチェックを受けるための識別子記入欄の設定を行う識別子記入欄設定手段を具備することを特徴とする請求項３記載の用紙レイアウト設計装置。
【請求項５】
前記印刷手段が、前記識別子記入欄に識別子を印刷するものであることを特徴とする請求項４記載の用紙レイアウト設計装置。
【請求項６】
前記印刷手段が、前記識別子記入欄への手書きによる識別子の記入を促すように識別子を印刷するものであることを特徴とする請求項５記載の用紙レイアウト設計装置。
【請求項７】
前記印刷手段が、前記識別子を手書き記入時になぞることができるように印刷することを特徴とする請求項６記載の用紙レイアウト設計装置。
【請求項８】
前記識別子記入欄設定手段が、前記識別子に係る所定の文字に対する手書きによるチェックを受けるための複数の構成要素欄を備えた識別子記入欄のレイアウト設定を行うものであって、前記印刷手段が、前記識別子付与手段で付与される識別子に係る所定の文字を前記構成要素欄に印刷するとともに、前記所定の文字に対する手書きによるチェックマークの記入を促すチェックマーク記入欄を、前記所定の文字を印刷する構成要素欄と所定の関係を有するように印刷することを特徴とする請求項４記載の用紙レイアウト設計装置。
【請求項９】
前記所定の文字が、前記チェックマークのチェック順を示すものであることを特徴とする請求項８記載の用紙レイアウト設計装置。
【請求項１０】
前記識別子記入欄設定手段が、前記識別子に係る所定の文字に対する手書きによるチェックを受けるための複数の構成要素欄を備えた識別子記入欄を、複数組にした状態でのレイアウト設定を行うものであって、前記印刷手段が、複数の識別子記入欄を所定順に並べて印刷するとともに、所定順に並べた各識別子記入欄に所定の文字を印刷し、且つ、所定順に並べた各識別子記入欄が前記所定の文字に対するチェックマークの記入を促すチェックマーク記入欄を１つ備えるように、各識別子記入欄を構成する複数の構成要素欄のうち１つの構成要素欄に、前記チェックマーク記入欄を印刷することを特徴とする請求項４記載の用紙レイアウト設計装置。
【請求項１１】
各識別子記入欄のチェックマーク記入欄でチェックマークを受けた文字を前記所定順に並べた際に、並べられた文字列が、識別子を示すように設定していることを特徴とする請求項１０記載の用紙レイアウト設計装置。
【請求項１２】
前記印刷手段が、前記チェックマーク記入欄を、前記構成要素欄内に印刷することを特徴とする請求項８乃至１１いずれか記載の用紙レイアウト設計装置。
【請求項１３】
前記印刷手段が、前記チェックマーク記入欄を、前記構成要素欄内と欄外とに跨らせて印刷することを特徴とする請求項８乃至１１いずれか記載の用紙レイアウト設計装置。
【請求項１４】
前記印刷手段が、前記用紙に前記識別子を記入すべき領域又は前記識別子に係る所定の文字に対する手書きによるチェックを受けるため領域として設けられた識別子記入欄を避けて前記レイアウト情報に対応するレイアウトを印刷することを特徴とする請求項３乃至１３いずれか記載の用紙レイアウト設計装置。
【請求項１５】
用紙への手書きによる書込が終了したことを示す書込終了マークを記入すべき書込終了欄を設定する書込終了欄設定手段を具備することを特徴とする請求項１乃至１４いずれか記載の用紙レイアウト設計装置。
【請求項１６】
前記印刷手段が、前記書込終了欄を前記用紙の所定位置に印刷するとともに、この書込終了欄を避けて前記レイアウト情報を印刷することを特徴とする請求項１５記載の用紙レイアウト設計装置。
【請求項１７】
作成済み又は作成中のレイアウト情報を取得するレイアウト情報取得手段を具備することを特徴とする請求項１乃至１６いずれか記載の用紙レイアウト設計装置。
【請求項１８】
前記用紙の表面への手書きによる書込み機能と、その手書き時の軌跡を位置認識パターンを読み取ることで認識する読取機能とを備えた書込兼読取装置を用い、この書込兼読取装置で手書きする用紙に対してレイアウト設計を行うものであることを特徴とする請求項２乃至１７いずれか記載の用紙レイアウト設計装置。
【請求項１９】
コンピュータを作動させて、罫線や記号等を用紙に印刷するためのレイアウト情報を、前記用紙の表面上に手書きにより記入される情報を電子位置情報に変換してなる筆記データと独立して取り扱い可能となるように、そのレイアウト情報のレイアウト設計を行うためのプログラムであって、
前記コンピュータを、前記筆記データと独立して取り扱い可能に且つ前記用紙に設定すべく作成されたレイアウト情報の入力を受け付けるレイアウト情報受付ステップと、前記レイアウト情報受付ステップで受け付けたレイアウト情報毎に識別子を付与する識別子付与ステップとして機能させるための用紙レイアウト設計プログラム。
【請求項２０】
前記コンピュータを、前記レイアウト情報に基づいて、対応するレイアウトを前記用紙の表面上における所定の領域に印刷する印刷ステップとして機能させるための請求項１９記載の用紙レイアウト設計プログラム。
【発明の詳細な説明】
【０００１】
【発明の属する技術分野】
本発明は、手書き入力された内容の電子データ化を行う際に使用する用紙のレイアウト設計や印刷を行うときに用いる印刷用紙設計装置に関するものである。
【０００２】
【従来の技術】
日常の業務で使用する納品書や請求書等の伝票や社用箋等は、一般に流通している市販の用紙で事足りることが多いが、これら用紙にオリジナルなレイアウトを行って使用したい場合や、社名やロゴ等を入れて使用したい場合には、印刷屋に注文してオリジナル用紙を作成することとなる。
【０００３】
【発明が解決しようとする課題】
しかしながら、このようなオリジナル用紙を作成する場合には、通常まとまったロットごとの注文が必要であり、例えば小規模な事務所で使用する場合には、コスト面などで不都合な点が多い。
【０００４】
そこで、本発明は、上述する問題を解決することを主たる課題とするものである。
【０００５】
【課題を解決するための手段】
すなわち、本発明は、罫線や記号等を用紙に印刷するためのレイアウト情報を、前記用紙の表面上に手書きにより記入される情報を電子位置情報に変換してなる筆記データと独立して取り扱い可能となるように、そのレイアウト情報のレイアウト設計を行うものであって、前記筆記データと独立して取り扱い可能に且つ前記用紙に設定すべく作成されたレイアウト情報の入力を受け付けるレイアウト情報受付手段と、前記レイアウト情報受付手段で受け付けたレイアウト情報毎に識別子を付与する識別子付与手段とを具備するようにしたものである。
【０００６】
このような構成によれば、手書き入力された内容の電子データ化を行う際に使用する、例えば、社名やロゴなどが入ったようなオリジナルな用紙のレイアウト設計をロット数にかかわらずに行うことができる。また、用紙レイアウトに変更があった場合でもこの用紙に付与された識別子を参照して、この識別子と対応するレイアウト情報の変更を行えばよいので、簡単に且つ迅速に対応することができる。このように、小ロット印刷にも対応可能であり且つ自由なレイアウト設計が可能な、非常に有益な用紙レイアウト設計装置を提供することができる。
【０００７】
また、用紙に印刷するための罫線や記号等のレイアウト情報を、用紙の表面上に手書きにより記入される情報を電子位置情報に変換してなる筆記データから完全に分離した状態で管理できるので、このレイアウト情報を利用者間で共有化して、全体としての管理するデータ量を少なくすることができる。このとき、レイアウト情報毎に識別子が付与されているので、共有化されたレイアウト情報の管理や使用を好適に行える。
【０００８】
なお、本発明における用紙の望ましい態様としては、その用紙の表面に、該表面上における絶対位置を示す位置認識パターンが印刷されたものが挙げられる。
【０００９】
また、レイアウトに変更が生じた場合でも即座に対応可能とする小ロット印刷に対応するためには、前記レイアウト情報に基づいて、対応するレイアウトを前記用紙の表面上における所定の領域に印刷する印刷手段を設ければよい。
【００１０】
そして、設定したレイアウト情報を識別するためには、印刷すべきレイアウトに対応するための、又は、前記識別子に係る所定の文字に対する手書きによるチェックを受けるための識別子記入欄を設定する識別子記入欄設定手段を設け、さらに、前記印刷手段が、前記用紙に前記識別子を記入すべき領域として設けられた識別子記入欄を避けて前記レイアウト情報に対応するレイアウトを印刷し、かつ前記識別子記入欄に識別子を印刷することが好ましい。
【００１１】
用紙の識別をより確実に行うためには、前記印刷手段が、前記識別子記入欄への手書きによる識別子の記入を促すように識別子を印刷するものであればよい。その具体的な実施態様としては、前記印刷手段が、前記識別子を手書き記入時になぞることができるように印刷することが挙げられる。
【００１２】
また、用紙の識別をより確実に且つ簡単に行うためには、前記識別子記入欄設定手段が、前記識別子に係る所定の文字に対する手書きによるチェックを受けるための複数の構成要素欄を備えた識別子記入欄のレイアウト設定を行うものであって、前記印刷手段が、前記識別子付与手段で付与される識別子に係る所定の文字を前記構成要素欄に印刷するとともに、前記所定の文字に対する手書きによるチェックマークの記入を促すチェックマーク記入欄を、前記所定の文字を印刷する構成要素欄と所定の関係を有するように印刷することが望ましい。このとき、前記所定の文字が、前記チェックマークのチェック順を示すものであれば、その効果は顕著となる。
【００１３】
さらに、用紙の識別をより確実に且つ簡単に行うための他の方法としては、前記識別子記入欄設定手段が、前記識別子に係る所定の文字に対する手書きによるチェックを受けるための複数の構成要素欄を備えた識別子記入欄を、複数組にした状態でのレイアウト設定を行うものであって、前記印刷手段が、複数の識別子記入欄を所定順に並べて印刷するとともに、所定順に並べた各識別子記入欄に所定の文字を印刷し、且つ、所定順に並べた各識別子記入欄が前記所定の文字に対するチェックマークの記入を促すチェックマーク記入欄を１つ備えるように、各識別子記入欄を構成する複数の構成要素欄のうち１つの構成要素欄に、前記チェックマーク記入欄を印刷しているものが挙げられる。この場合、各識別子記入欄のチェックマーク記入欄でチェックマークを受けた文字を前記所定順に並べた際に、並べられた文字列が、識別子を示すように設定していることが好ましい。
【００１４】
また、レイアウト情報を印刷する領域を広く取るためには、前記印刷手段が、前記チェックマーク記入欄を、前記構成要素欄内に印刷することが望ましい。
【００１５】
また、前記印刷手段が、前記チェックマーク記入欄を、前記構成要素欄内と欄外とに跨らせて印刷するように構成すれば、そのチェックマーク記入欄が、構成要素欄からはみ出て目立つので、確実なチェックを促せる。
【００１６】
用紙への記入が終了したことを認識するためには、前記印刷手段が、用紙への手書きによる書込が終了したことを示す前記用紙に手書きによる書き込みが終了したこと記入すべき領域として書込終了欄を設け、この書込終了欄を避けて前記レイアウト情報を印刷するように構成すればよい。この書込終了欄を用紙上に設定するためには、書込終了欄設定手段を設ければよい。
【００１７】
例えば、既製の表計算ソフト等で作成したレイアウト情報を取得可能にし、利用者のレイアウト情報作成の手間を省けるようにするためには、作成済み又は作成中のレイアウト情報を取得するレイアウト情報取得手段を具備することが望ましい。
【００１８】
さらに、本発明は、前記用紙の表面への手書きによる書込み機能と、その手書き時の軌跡を位置認識パターンを読み取ることで認識する読取機能とを備えた書込兼読取装置を用いて手書き及び手書きした内容の読み込みができるようにした用紙のレイアウト設計に適用することが望ましい。
【００１９】
【発明の実施の形態】
＜第１実施形態＞
以下、本発明の実施形態について、図１〜図１１を参照しながら説明する。
【００２０】
本発明の用紙レイアウト設計装置は、図１に示すように、書込み可能な用紙１に対して書き込むと同時に書き込んだデータを読み取り、そのデータをパーソナルコンピュータＰＣ（以下、「パソコンＰＣ」とする。）に送信する書込兼読取装置たる電子ペン２を用い、電子化して取り込んだ情報をパソコンＰＣにて取り扱うシステムにおいて使用する手書きする用紙１の罫線や記号等のレイアウト設計を行うものである。
【００２１】
まず、この用紙１と電子ペン２について具体的に説明する。
【００２２】
用紙１は、白色乃至略白色の定型用紙を用いてその表表面１ａを前記電子ペン２により書き込まれる被書込面とし、この被書込面たる表表面１ａ上に、当該表表面１ａ上の絶対位置を示す位置認識パターンたるドットパターンＤＰを印刷したものである。勿論、表表面及び裏表面共に書込面として、このドットパターンＤＰが印刷されるものであってもよい。
【００２３】
このドットパターンＤＰは、図２にその一部拡大図を示すように、一定の法則により配置された微小な無数のドットｄからなり、これらドットｄの所定範囲内（例えば２ミリ四方）における配置パターンによって、被書込面１ａ上における平面的な絶対位置を判別可能にしたもので、例えば図示例のように、印刷されていない縦横に等間隔に走る仮想のグリッド（図中想像線で示す）の交点を基準点として設定しておき、この基準点からのドットｄの相対的な位置関係を利用してパターンとしたものなどである。
【００２４】
なお、本実施形態において、このドットパターンＤＰは、カーボンインクによって淡い色で印刷されたものであるが、例えば、透明であり且つ読取部２１を構成する後述する赤外線照射部Ｌにより、所定波長の光を照射されて読取部２１に読み取り可能な光を発光する発光インクによって印刷するようにして、ドットパターンＤＰが、用紙１から目立たないようにしたようなものであってもよい。
【００２５】
電子ペン２は、図３に示すように、インクや黒鉛等を備えたペン先２ａ、赤外線照射部Ｌを備えた小型のＣＭＯＳカメラ２ｂ、プロセッサ２ｃ、メモリ２ｄ、Ｂｌｕｅｔｏｏｔｈ技術を利用したワイヤレストランシーバ等の通信インタフェイス２ｅ、及びバッテリ２ｆ等を内蔵している。そして、メモリ２ｄに記憶したプログラムに従ってプロセッサ２ｃや他の機器が動作し、図４に示すように、少なくとも読取部２１と、記憶部２２と、送信部２３としての機能を有している。
【００２６】
読取部２１は、用紙１に記入する際にペン先２ａの動きに合わせて、プロセッサ２ｃによって駆動されたＣＭＯＳカメラ２ｂが、ペン先２ａ近傍の所定範囲を次々と撮影し、その撮影された範囲のドットパターンＤＰをプロセッサ２ｃによって解析し、手書き時の軌跡を判別して読み取るものである。
【００２７】
なお、この撮像動作は、図示しない筆圧センサに手書きする際の一定以上の筆圧が検知された場合に開始されるように設定されていて、例えば１秒間に数十から百回行われる。
【００２８】
記憶部２２は、前記読取部２１で読み取った手書き時の軌跡を、電子データとしてメモリ２ｄの所定領域に記憶するものである。
【００２９】
送信部２３は、一旦前記記憶部２３で記憶された手書き時の軌跡を、電子ペンに設けた図示しない送信ボタンを押したときに、情報処理装置たるパソコンＰＣに送信するものである。
【００３０】
このようにして、用紙１に、電子ペン２を用いて文字等を書き込んで使用し、書き込んだ文字等の情報を電子位置情報に変換してなる筆記データとして電子データ化することができる。
【００３１】
本実施形態は、以上のような用紙１にオリジナルなレイアウトを行って使用する場合や、社名やロゴ等を入れて使用したい場合には、この用紙１にレイアウトを施すためのものである。
【００３２】
次に、用紙１にオリジナルな罫線、記号、文字、ロゴ等のレイアウト設計等を行う用紙レイアウト設計装置について説明する。
【００３３】
本発明の用紙レイアウト設計装置Ｓは、例えば、入力データの受付や各種データの管理を行い得るデータベース機能や一般的な印刷機能等を具備したもので、図５に示すように、ＣＰＵ３０１、内部メモリ３０２、ＨＤＤ等の外部記憶装置３０３、キーボードやマウス等のユーザインタフェイス３０４，ＣＲＴ等の表示部３０５、用紙の印刷を行うプリンタ３０６等を主な構成要素とする。
【００３４】
そして、この用紙レイアウト設計装置Ｓは、その外部記憶装置３０３等に記憶されたプログラムにしたがって前記ＣＰＵ３０１や周辺機器を作動し、図６に示すように、レイアウト情報受付手段３１、識別子記入欄設定手段３２、書込終了欄設定手段３３、識別子付与手段３４、レイアウト情報格納手段３５、印刷手段３６等としての機能を発揮するようにしている。
【００３５】
レイアウト情報受付手段３１は、図７及び図８に示すように、表示部３０５に表示した用紙１に対して、ユーザインタフェイス３０４を介して設定する罫線や記号や文字やロゴ等のレイアウト情報３ａを受け付けるものである。この受け付けるレイアウト情報としては、例えば、罫線の太さや本数、手書き入力欄の大きさや形状、さらにはこれらの色などの画面上で編集したりするものや、マークや図形等のように完成したデータを画面表示した用紙１に対して埋め込んだりするものなどがある。また、ユーザインタフェイス３０４を用いずに外部から図示しない通信回線等を通じて各種レイアウト情報を受け付けることができる。さらに、表計算ソフトやドキュメンテーション作成ソフト等、一般に使用するソフトで作成したレイアウト情報を、レイアウト情報受付手段３１が受け付ける実施態様も採用することができる。このように、受け付けるレイアウト情報及び受付方法は本実施形態に限られるものではない。また、このレイアウト情報３ａは、後述する識別子記入欄３ｂ及び書込終了欄３ｃを除く所定の領域たるレイアウト情報配置領域１１で自由にレイアウト設定することができる。
【００３６】
識別子記入欄設定手段３２は、識別子記入欄３ｂの用紙上のレイアウト設定を行うものである。本実施形態では、用紙１の左上隅１ｘにレイアウト設定するように初期設定している。なお、この識別子記入欄３ｂは、レイアウト情報受付手段で受け付けられた用紙に付与される後述する識別子を、手書き入力により書き込むために設けられた領域である。
【００３７】
書込終了欄設定手段３３は、書込終了欄３ｃの用紙上のレイアウト設定を行うものである。本実施形態では、用紙１の右下隅１ｙにレイアウト設定するように初期設定している。この書込終了欄３ｃは、前記送信ボタンで用紙１の書き込んだ内容をパソコンＰＣに送信するときに、書込終了マークが該書込終了欄３ｃに記入されていなければ送信されないように設定されている。すなわち、誤ってデータを送信しないようにするフェイルセーフ機能を具備している。
【００３８】
識別子付与手段３４は、前記レイアウト受付手段３１で受け付けたレイアウト情報３ａ及び、前記識別子記入欄設定手段３２で設定した識別子記入欄３ｂと、前記書込終了欄設定手段３３で設定した書込終了欄３ｃとをレイアウトした用紙１に対して、本システムにおけるユニークな値を示す識別子たる用紙ＩＤ１０を付与するものである。なお、本実施形態では、この用紙ＩＤ１０を、２文字の英字と４文字の数字との計６文字で構成されるように設定しているが、これに限らず、自由に設定しても構わない。そして、この用紙ＩＤ１０は重複しないように、外部記憶装置３０３等に記憶されたプログラムにしたがって自動的に付与されるものとした。
【００３９】
レイアウト情報格納手段３５は、前記レイアウト情報受付手段３１で受け付けレイアウト設定したレイアウト情報３ａと、レイアウト設定した識別子記入欄３ｂと、レイアウト設定した書込終了欄３ｃとを、前記識別子付与手段３４が付与した用紙ＩＤ１０とともに前記外部記憶装置３０３に格納するものである。なお、レイアウト情報格納手段３５に格納するデータのデータ形態は任意でよく例えば、外部記憶装置３０３等に記憶されたプログラムにしたがって処理される画像の形やコード化したもの等であっても構わない。
【００４０】
印刷手段３６は、レイアウト情報格納手段３５に格納されるレイアウト情報３ａと識別子記入欄３ｂと書込終了欄３ｃと前記プリンタ３０６に印刷するものである。さらに、識別子記入欄３ｂには、該レイアウト情報３ａを識別する用紙ＩＤ１０を、例えば薄墨色で印字するように設定している。
【００４１】
次に、本実施形態のシステムの動作について、図９及び図１０に示すフロー図等を用いて説明する。
【００４２】
図９は、識別子記入欄３ｂと書込終了欄３ｃとが、それぞれ左上隅１ｘと右下隅１ｙとに予め印刷されている用紙に、罫線や記号・文字等のレイアウト情報を設定して印刷する過程をフロー図で示したものである。
【００４３】
まず、図７に示すように、表示部３０５に用紙１を表示させ（ステップＳ１０１）、この表示した用紙１に対して罫線や記号・文字等の入力を行う（ステップＳ１０２）。そして、図８に示すように、これら罫線や記号・文字等のレイアウト情報の入力が終了すれば（ステップＳ１０３）、このレイアウト情報を有する用紙に対して用紙ＩＤ１０の付与を行う（ステップＳ１０４）。なお、本実施形態においてこの用紙ＩＤ１０の値は、自動的に決定されるものとしている。そして、用紙ＩＤ１０を付与した用紙の保存を行い（ステップＳ１０５）、印刷を行うのであれば（ステップＳ１０６）、プリンタ３０６に設定した用紙１にレイアウト情報３ａと識別子記入欄３ｂと書込終了欄３ｃを印刷するとともに、該識別子記入欄３ｂに該レイアウト情報３ａを識別する用紙ＩＤ１０を薄墨色にて印字する。（ステップＳ１０７）。なお、このステップＳ１０２がレイアウト情報受付ステップに相当し、ステップＳ１０５が識別子付与ステップに相当し、ステップＳ１０７が印刷ステップに相当する。
【００４４】
なお、本実施形態では、識別子記入欄３ｂと書込終了欄３ｃとが、それぞれ左上隅１ｘと右下隅１ｙとに予め印刷されている用紙に対して、罫線や記号・文字等のレイアウト情報３ａを設定して印刷を行ったが、この識別子記入欄３ｂと書込終了欄３ｃとを、レイアウト情報３ａと同様に画面上で設定することもできる。
【００４５】
この場合は、図１０に示すように、レイアウト情報３ａと識別子記入欄３ｂと書込終了欄３ｃとを画面上に表示される用紙１の任意の位置に配置し（ステップＳ２０１）、そして配置した識別子記入欄３ｂ及び書込終了欄３ｃに対してそれぞれに対応した処理を設定する（ステップＳ２０２）というステップを、前記ステップＳ１０２とＳ１０３との間等に設ければよい。
【００４６】
このようにレイアウト設定して印刷された用紙１は、次のようにして使用される。すなわち、レイアウト設定して印刷された用紙１に対して、電子ペン２を用いて手書き入力を行うと、用紙１には、図１１に示すように手書き時の軌跡Ｋが書き込まれると同時に、記憶部２２に手書き時の軌跡Ｋが電子データとして格納されることとなる。
【００４７】
そして、手書き入力が完了したときに、書込終了欄３ｃに例えばチェックのような書込み終了マークＭを書き込むと、この用紙１に対する入力を終えたことを電子ペン２が認識し、記憶している手書き時の軌跡ＫがパソコンＰＣに送信されることとなる。
【００４８】
なお、書込終了欄３ｃに書込み終了マークＭを書き込む前に、識別子記入欄３ｂの薄墨色に印刷された識別子を電子ペン２でなぞっておけば、書込終了欄３ｃに書込み終了マークＭが書き込まれた際に、該用紙１の識別子が手書き時の軌跡ＫとともにパソコンＰＣに送信される。すなわち、デジタルデータ化された筆記データ（軌跡Ｋ）に、レイアウト情報があたかも添付されたようにパソコンＰＣに送信されるので、手書き時の軌跡Ｋとレイアウト情報とを、実際の用紙１に書き込まれたものなどと略同一にして、パソコンＰＣの画面上に正確に表示することができる。
【００４９】
以上に詳述したように、本実施形態の用紙レイアウト設計装置は、手書き入力された内容の電子データ化を行う際に使用する、例えば、社名やロゴなどのレイアウト情報３ａが入ったようなオリジナルな用紙のレイアウト設計や印刷を小ロットで行うことができる。また、用紙レイアウトに変更があった場合でもこの用紙１に付与された識別子を参照して、この識別子と対応するレイアウト情報３ａの変更を行えばよいので、簡単に且つ迅速に対応することができる。
【００５０】
また、書込終了欄３ｃに書込み終了マークＭを書き込む前に、識別子記入欄３ｂの薄墨色に印刷された識別子を電子ペン２でなぞっておけば、書込終了欄３ｃに書込み終了マークＭが書き込まれた際に、該用紙１の識別子が手書き時の軌跡ＫとともにパソコンＰＣに送信されるので、実際の用紙１に手書き入力される筆記データを、その識別子に基づきパソコンＰＣで好適に管理することができる。
【００５１】
また、このような用紙レイアウト設計装置Ｓでレイアウト情報３ａが印刷された用紙１に、手書きで記入した筆記データは、レイアウト情報３ａと完全に分離した状態にあるので、例えば、パソコンＰＣに取り込んで編集する場合でも、その筆記データのみを好適に編集することができる。さらに、このような筆記データを、パソコンＰＣにバックアップして保存できることは無論のこと、第三者に供与したり共有したりすることも簡単に行える。
【００５２】
このように、該用紙１にペン２を用いて手書き入力すれば、記入した情報が筆記データとして変換され、上述したように活用できるといった非常に機能性の高い用紙のレイアウト設計を簡単に行うことが可能な用紙レイアウト設計装置Ｓを実現できる。
【００５３】
なお、本実施形態では、パソコンＰＣに送信するタイミングを電子ペンに設けた送信ボタン（図示せず）を押したときに送信されるものとしたが、これに限らず、電子ペン２が電子データ化された入力軌跡を分析し、その分析結果にパソコンＰＣに送信する旨の情報が含まれていたときに送信するように設定することもできる。
【００５４】
また、本実施形態では、識別子記入欄への手書きによる識別子の記入を促すために、識別子記入欄３ｂにレイアウト情報３ａを識別する用紙ＩＤ１０を薄墨色にて印字するようにしたが、これに限らず、別の色で印字するなど任意の方法であっても構わない。
【００５５】
また、書込終了欄３ｃにチェックする書込み終了マークＭは、○印等の任意の記号やあるいは文字等、任意でよいことは言うまでもない。
【００５６】
さらに、用紙の表面上の位置認識パターンを、その表面上における絶対位置を示し得るものとしたが、相対位置を示すものであってもよい。
＜第２実施形態＞
以下、本発明の他の実施形態について、図１２〜図１８を参照しながら説明する。なお、特に説明なきもので、且つ、第１実施形態と同一の名称及び符号が与えられているものは、第１実施形態と同一の構成及び機能を有するものとする。
【００５７】
本発明の用紙レイアウト設計装置Ｓは、例えば、入力データの受付や各種データの管理を行い得るデータベース機能や一般的な印刷機能等を具備したもので、図１２に示すように、第１実施形態のハードウエア構成３０１〜３０６に加え、オフィス内ＬＡＮやインターネットなどに接続するための通信インタフェイス３０７等を主な構成要素とする。
【００５８】
また、この用紙レイアウト設計装置Ｓは、前記外部記憶装置３０３等に記憶されたプログラムにしたがって前記ＣＰＵ３０１や周辺機器を作動し、図１３に示すように、レイアウト情報取得手段３０、レイアウト情報受付手段３１、識別子記入欄設定手段３２、書込終了欄設定手段３３、識別子付与手段３４、レイアウト情報格納手段３５、印刷手段３６等としての機能を発揮するようにしている。
【００５９】
レイアウト情報取得手段３０は、オフィス内ＬＡＮやインターネットを介して接続されるサーバ（図示せず）に格納している他のコンピュータで作成された作成済みレイアウト情報を取得するものであって、前記通信インタフェイス３０７などを利用して構成している。なお、この作成済みレイアウト情報としては、例えば、Ｅｘｃｅｌ（登録商標）やＰｏｗｅｒＰｏｉｎｔ（登録商標）等の罫線や記号等を作成可能なアプリケーションソフトで作成完了されたもの又は作成中のものを挙げることができる。また、この作成済みレイアウト情報は、前記通信インタフェイス３０７を介さずに、例えば、作成済みレイアウト情報を記憶する携帯可能な記憶媒体から取得するように構成してもよいし、該用紙レイアウト設計装置Ｓでアプリケーションソフトを実行させ、該用紙レイアウト設計装置Ｓ内で作成した作成済みレイアウト情報を取得するようにしてもよい。また、取得された作成済みレイアウト情報は、図１４に示すように、表示部３０５に画面表示される。
【００６０】
レイアウト情報受付手段３１は、第１実施形態のものと同様の機能を発揮するに加え、前記レイアウト情報取得手段３０で取得した作成済みレイアウト情報を受け付けるものである。なお、該レイアウト情報受付手段３１において、前記レイアウト情報取得手段３０で取得した作成済みレイアウト情報に対して、罫線を追加したり削除したりすることを妨げない。
【００６１】
識別子記入欄設定手段３２は、前記識別子に係る所定の文字に対する手書きによるチェックを受けるための識別子記入欄３ｂの用紙上のレイアウト設定を行うものである。本実施形態では、用紙１の左上隅１ｘにレイアウト設定するように初期設定している。なお、この識別子記入欄３ｂは、図１５に示すように、前記レイアウト情報受付手段３１で受け付けられた用紙に付与される後述する識別子に係る所定の文字に対する手書きによるチェックを受けるための１０個の構成要素欄３ｂ１、３ｂ２、・・・３ｂ９、３ｂ０（以下、「構成要素欄３ｂｘ」と総称する。）を備えている。そして本実施形態では、この１０個の構成要素欄３ｂｘには、左から順に、１、２、３、・・、９、０の番号が割り当てられるように設定している。
【００６２】
書込終了欄設定手段３３は、第１実施形態で説明したものと同様の機能を発揮するため、説明を省略する。
【００６３】
識別子付与手段３４は、前記レイアウト受付手段３１で受け付けたレイアウト情報３ａ及び、前記識別子記入欄設定手段３２で設定した識別子記入欄３ｂと、前記書込終了欄設定手段３３で設定した書込終了欄３ｃとをレイアウトした用紙１に対して、本システムにおけるユニークな値を示す識別子たる用紙ＩＤ１０を付与するものである。なお、本実施形態では、この用紙ＩＤを、４桁の数字で付与するように構成している。桁数はこれに限らず、自由に設定しても構わない。そして、この用紙ＩＤは重複しないように、外部記憶装置３０３等に記憶されたプログラムにしたがって自動的に付与されるものとした。
【００６４】
レイアウト情報格納手段３５は、第１実施形態で説明したものと同様の機能を発揮するため、説明を省略する。
【００６５】
印刷手段３６は、レイアウト情報格納手段３５に格納されるレイアウト情報３ａと識別子記入欄３ｂと書込終了欄３ｃと前記プリンタ３０６に印刷するものである。さらに、識別子記入欄３ｂには、該レイアウト情報３ａを識別する用紙ＩＤに係る数字を、例えば薄墨色で印字するように設定している。より具体的には、例えば、前記識別子付与手段３４で付与された用紙ＩＤが「２５３８」であるとすると、この印刷手段３６は、図１６に示すように、構成要素欄３ｂｘに対するチェック順を示すように、左から２番目の構成要素欄３ｂ２に数字「１」、同５番目の構成要素欄３ｂ５に「２」、同３番目の構成要素欄３ｂ３に「３」、同８番目の構成要素欄３ｂ８に「４」を薄墨色で印刷する。さらに本実施形態では、確実なチェックを促すために、その数字に対するチェックマークＣＭの記入を受けるためのチェックマーク記入欄Ｃ１、Ｃ２、Ｃ３、Ｃ４（以下、「チェックマーク記入欄Ｃ」と総称する。）を、構成要素欄３ｂｘの欄内と欄外とに跨るようにして同時に印刷するように構成している。
【００６６】
次に、本実施形態のシステムの動作について、図１７に示すフロー図等を用いて説明する。
【００６７】
図１７は、作成済みのレイアウト情報を取得して、この取得した作成済みレイアウト情報に、識別子記入欄３ｂと書込終了欄３ｃとを設定するとともに罫線や記号・文字等を編集し、しかるのち、印刷する過程をフロー図で示したものである。
【００６８】
まず、図１７に示すように、作成済みレイアウト情報を取得するのであれば（ステップＳ３０１）、レイアウト情報取得手段３０がサーバからレイアウト情報を取得する（ステップＳ３０２）。そして、このレイアウト情報取得手段３０で取得した作成済みレイアウト情報を表示部１０５に表示される用紙１に重ね合わせて表示させ（ステップＳ３０３）、この表示した用紙１に対して罫線や記号・文字等の編集を行う（ステップＳ３０４）。そして、これら罫線や記号・文字等のレイアウト情報の編集が終了すれば（ステップＳ３０５）、このレイアウト情報を有する用紙に対して用紙ＩＤの付与を行う（ステップＳ３０６）。なお、本実施形態においてこの用紙ＩＤの値は、自動的に決定されるものとしている。そして、用紙ＩＤを付与した用紙の保存を行い（ステップＳ３０７）、印刷を行うのであれば（ステップＳ３０８）、プリンタ３０６に設定した用紙１にレイアウト情報３ａと識別子記入欄３ｂと書込終了欄３ｃを印刷するとともに、該識別子記入欄３ｂに備えた所定の構成要素欄３ｂｘにチェック順を促す数字と、この構成要素欄３ｂｘの欄内と欄外とに跨らせるようにしたチェックマーク記入欄Ｃとを薄墨色にて印字する。（ステップＳ３０９）。なお、このステップＳ３０４がレイアウト情報受付ステップに相当し、ステップＳ３０７が識別子付与ステップに相当し、ステップＳ３０９が印刷ステップに相当する。
【００６９】
なお、本実施形態では、実施形態１と同様にして、前記識別子記入欄３ｂと書込終了欄３ｃとを、レイアウト情報３ａと同様に画面上で設定することもできる。
【００７０】
このようにレイアウト設定して印刷された用紙１は、次のようにして使用される。すなわち、レイアウト設定して印刷された用紙１に対して、電子ペン２を用いて手書き入力を行うと、用紙１には、図１８に示すように手書き時の軌跡Ｋが書き込まれると同時に、記憶部２２に手書き時の軌跡Ｋが電子データ（筆記データ）として格納されることとなる。
【００７１】
そして、手書き入力が完了したときに、書込終了欄３ｃに例えばチェックのような書込み終了マークＭを書き込むと、この用紙１に対する入力を終えたことを電子ペン２が認識し、記憶している手書き時の軌跡ＫがパソコンＰＣに送信されることとなる。
【００７２】
なお、書込終了欄３ｃに書込み終了マークＭを書き込む前に、構成要素欄３ｂｘのチェックマーク記入欄Ｃに所定順でチェックマークＣＭを記入しておくと、手書き時の軌跡Ｋとともに該用紙１の識別子がパソコンＰＣに送信される。すなわち、デジタルデータ化された筆記データ（軌跡Ｋ）に、レイアウト情報があたかも添付されたようにパソコンＰＣに送信されるので、手書き時の軌跡Ｋとレイアウト情報とを、実際の用紙１に書き込まれたものなどと略同一にして画面上に正確に表示することができる。
【００７３】
また、筆記データはレイアウト情報から完全に分離された状態でパソコンＰＣにて受信されるので、パソコンＰＣ上で受信した筆記データに対する加工を容易に行うことができる。
【００７４】
以上に詳述したように、本実施形態の用紙レイアウト設計装置は、手書き入力された内容の電子データ化を行う際に使用する、例えば、社名やロゴなどのレイアウト情報３ａが入ったようなオリジナルな用紙のレイアウト設計や印刷を小ロットで行うことができる。また、用紙レイアウトに変更があった場合でもこの用紙に付与された識別子を参照して、この識別子と対応するレイアウト情報３ａの変更を行えばよいので、簡単に且つ迅速に対応することができる。
【００７５】
また、書込終了欄３ｃに書込み終了マークＭを書き込む前に、構成要素欄３ｂｘのチェックマーク記入欄Ｃに電子ペン２で所定順にチェックマークＣＭを記入するといった非常に簡単且つ確実な動作をするだけで、書込終了欄３ｃに書込み終了マークＭが書き込まれた際に、該用紙１の識別子が手書き時の軌跡ＫとともにパソコンＰＣに送信され、実際の用紙１に手書き入力される筆記データを、その識別子に基づきパソコンＰＣで好適に管理することができる。
【００７６】
そして、このような用紙レイアウト設計装置Ｓでレイアウト情報３ａが印刷された用紙に、手書きで記入した筆記データは、レイアウト情報３ａと完全に分離した状態にあるので、例えば、パソコンＰＣに取り込んで編集する場合でも、その筆記データのみを好適に編集することができる。さらに、このような筆記データを、パソコンＰＣにバックアップして保存できることは無論のこと、第三者に供与したり共有したりすることも簡単に行える。
【００７７】
このように、該用紙１にペン２を用いて手書き入力すれば、記入した情報が筆記データとして変換され、上述したように活用できるといった非常に機能性の高い用紙のレイアウト設計を簡単に行うことが可能な用紙レイアウト設計装置Ｓを実現できる。
【００７８】
なお、本実施形態において、前記識別子記入欄設定手段３２が設定する識別子記入欄を、次に説明するように構成しても、簡単且つ確実に該用紙を識別させ得る用紙１を提供することができる。
【００７９】
具体的には、図１９に示すように、前記識別子記入欄設定手段３２が、前記識別子に係る所定の文字に対する手書きによるチェックを受けるための１０個の構成要素欄３ｂｘを備えた４個の識別子記入欄３ｂａ、３ｂｂ、３ｂｃ、３ｂｄを、組にした状態で用紙１に対してレイアウト設定するように構成するとともに、前記印刷手段３６に、図２０に示すように、４個の識別子記入欄３ｂａ、３ｂｂ、３ｂｃ、３ｂｄを所定順に並べて用紙１の所定位置に印刷させ、所定順に並べた各識別子記入欄３ｂａ、３ｂｂ、３ｂｃ、３ｂｄに、１、２、３、・・・、９、０の数字を薄墨色で印刷させ、さらに、前記識別子付与手段３４で付与された用紙ＩＤが「２５３８」であれば、最上段の識別子記入欄３ｂａにおける左から２番目の構成要素欄３ｂ２の欄内にチェックボックス記入欄Ｃ１を印刷し、２段目の識別子記入欄３ｂｂにおける左から５番目の構成要素欄３ｂ５の欄内にチェックボックス記入欄Ｃ２を印刷し、３段目の識別子記入欄３ｂｃにおける左から３番目の構成要素欄３ｂ３の欄内にチェックボックス記入欄Ｃ３を印刷し、４段目の識別子記入欄３ｂｄにおける左から８番目の構成要素欄３ｂ８の欄内にチェックボックス記入欄Ｃ４を印刷するように動作させればよい。
【００８０】
また、チェックマーク記入欄ＣにチェックするチェックマークＣＭは、図２１に示すような「レ」に限らず、○印等の記号や文字等任意でよい。
【００８１】
また、用紙やボードなどの対象物に手書き入力される情報を電子データ化するシステムを、上述した電子ペン２と替えて利用するといった実施態様も考えられる。このようなシステムとしては、例えば、超音波及び電波を放射する機能を備えたマーカ保持装置とこのマーカ保持装置に装着させてなる所定の色で描画可能なマーカとを備えた筆記具と、この筆記具で手書き入力した際に放射される超音波及び電波とを取得してこれを軌跡情報として電子データ化する軌跡電子データ化装置とを具備するシステムが挙げられる。
【００８２】
なお、各部の具体的な構成は、上述した実施形態のみに限定されるものではなく、本発明の趣旨を逸脱しない範囲で種々変形が可能である。
【００８３】
【発明の効果】
以上に詳述した本発明によれば、用紙の表面上に手書きにより記入される情報を電子位置情報に変換してなる筆記データに対して独立して取り扱い可能に且つ前記用紙に設定すべく作成されたレイアウト情報の入力を受け付けるレイアウト情報受付手段と、前記レイアウト情報受付手段で受け付けたレイアウト情報毎に識別子を付与する識別子付与手段とを具備したものであるので、手書き入力された内容の電子データ化を行う際に使用する、例えば、社名やロゴなどが入ったようなオリジナルな用紙のレイアウト設計をロット数にかかわらずに行うことができる。また、用紙レイアウトに変更があった場合でもこの用紙に付与された識別子を参照して、この識別子と対応するレイアウト情報の変更を行えばよいので、簡単に且つ迅速に対応することができる。このように、小ロット印刷にも対応可能であり且つ自由なレイアウト設計が可能な、非常に有益な用紙レイアウト設計装置を提供することができる。
【図面の簡単な説明】
【図１】本発明の実施形態における全体機器構成図。
【図２】同実施形態の要部を示す一部拡大図。
【図３】同実施形態における電子ペンを示す機器構成図。
【図４】同実施形態を示す機能構成図。
【図５】同実施形態における用紙レイアウト設計装置を示す機器構成図。
【図６】同実施形態を示す機能構成図。
【図７】同実施形態における表示部に表示したレイアウト設定するレイアウト設計前の用紙。
【図８】同実施形態における表示部に表示したレイアウト設定するレイアウト設計後の用紙。
【図９】同実施形態におけるレイアウト情報の受付から印刷までの動作を示すフロー図。
【図１０】同実施形態における識別子記入欄及び書込終了欄を設定する動作を示すフロー図。
【図１１】同実施形態におけるレイアウト情報等を印刷した用紙に手書き入力を終えた図。
【図１２】本発明の他の実施形態における用紙レイアウト設計装置を示す機器構成図。
【図１３】同実施形態を示す機能構成図。
【図１４】同実施形態における表示部に、作成済みレイアウト情報に基づき表示したレイアウト設計前の用紙。
【図１５】同実施形態における表示部に表示したレイアウト設定中の用紙。
【図１６】同実施形態におけるレイアウト情報等を印刷した用紙に手書き入力前の用紙を示す図。
【図１７】同実施形態におけるレイアウト情報の取得から印刷までの動作を示すフロー図。
【図１８】同実施形態におけるレイアウト情報等を印刷した用紙に手書き入力後の用紙を示す図。
【図１９】本発明の他の実施形態における表示部に表示したレイアウト設定中の用紙。
【図２０】同実施形態におけるレイアウト情報等を印刷した用紙に手書き入力前の用紙を示す図。
【図２１】同実施形態におけるレイアウト情報等を印刷した用紙に手書き入力後の用紙を示す図。
【符号の説明】
１・・・用紙
１ａ・・・表表面（表面）
２・・・電子ペン（書込兼読取装置）
２ａ・・・ペン先（書込み機能）
３ａ・・・レイアウト情報
３ｂ、３ｂａ、３ｂｂ、３ｂｃ、３ｂｄ・・・識別子記入欄
３ｂｘ（３ｂ１、３ｂ２、・・・３ｂ９、３ｂ０）・・・構成要素欄
３ｃ・・・書込終了欄
３０・・・レイアウト情報取得手段
１０・・・用紙ＩＤ（識別子）
１１・・・レイアウト情報配置領域（所定の領域）
２１・・・読取部（読取機能）
３１・・・レイアウト情報受付手段
３２・・・識別子記入欄設定手段
３３・・・書込終了欄設定手段
３４・・・識別子付与手段
３６・・・印刷手段
Ｃ（Ｃ１、Ｃ２、Ｃ３、Ｃ４）・・・チェックマーク記入欄
ＣＭ・・・チェックマーク
ＤＰ・・・ドットパターン（位置認識パターン）
Ｋ・・・手書き時の軌跡
Ｍ・・・書込み終了マーク
Ｓ・・・用紙レイアウト設計装置
Ｓ１０２、Ｓ３０４・・・レイアウト情報受付ステップ
Ｓ１０５、Ｓ３０７・・・識別子付与ステップ
Ｓ１０７、Ｓ３０９・・・印刷ステップ
【図１】
2004005519.tif 000003
【図２】
2004005519.tif 000004
【図３】
2004005519.tif 000005
【図４】
2004005519.tif 000006
【図５】
2004005519.tif 000007
【図６】
2004005519.tif 000008
【図７】
2004005519.tif 000009
【図８】
2004005519.tif 000010
【図９】
2004005519.tif 000011
【図１０】
2004005519.tif 000012
【図１１】
2004005519.tif 000013
【図１２】
2004005519.tif 000014
【図１３】
2004005519.tif 000015
【図１４】
2004005519.tif 000016
【図１５】
2004005519.tif 000017
【図１６】
2004005519.tif 000018
【図１７】
2004005519.tif 000019
【図１８】
2004005519.tif 000020
【図１９】
2004005519.tif 000021
【図２０】
2004005519.tif 000022
【図２１】
2004005519.tif 000023